(57)【要約】【課題】被加熱物の載置状態に関わらず、内部温度を均一に上昇させ、上下両面に良好な焼き色を着ける事が可能で、かつ外郭などの高温化を防止しうる加熱調理器を提供する。【解決手段】給電口２８を開閉扉１２の近傍側の位置に設け、上部熱源１８、および下部熱源２４を開閉扉１２から遠方側の位置に設けたことにより、マイクロ波、上部熱源１８、下部熱源２４による複合同時加熱の場合においても、マイクロ波が上部熱源１８、および下部熱源２４と干渉してスパークを発生したり、上部熱源１８、下部熱源２４が部分温度上昇したりするのを回避して、種々の被加熱物に最適な加熱調理状態を実現できる。【選択図】図１
2010107083.tif 000002
【特許請求の範囲】
【請求項１】
開閉扉を有し食品を収容する加熱室と、前記加熱室内にマイクロ波を照射させる給電口と、前記加熱室に設けた上部熱源および下部熱源と、前記加熱室の内部に設けられ食品または食品を含む被加熱物を載置して回転させる載置部と、前記載置部の回転手段とを備え、前記給電口を前記開閉扉の近傍側の位置に設ける一方、前記上部熱源、前記下部熱源を前記開閉扉から遠方側の位置に設けた加熱調理器。
【請求項２】
上部熱源は載置部に向かって赤外線を放射する赤外線ヒータで構成し、下部熱源は前記載置部の下部の加熱室背面から熱風を供給する熱風供給手段で構成した請求項１に記載の加熱調理器。
【請求項３】
赤外線ヒータは、石英管またはセラミック管内に電熱線を埋設した赤熱型ヒータを用いた請求項１または２に記載の加熱調理器。
【請求項４】
載置部の回転手段は、少なくとも被加熱物の調理初期と調理完了期近傍で、回転速度を変化させた請求項１から３のいずれか１項に記載の加熱調理器。
【請求項５】
載置部の回転手段の回転速度は、被加熱物の調理開始期よりも調理完了期近傍で大きくした請求項４に記載の加熱調理器。
【発明の詳細な説明】
【技術分野】
【０００１】
本発明は、食品などの被加熱物を加熱調理する加熱調理器に関するものである。
【背景技術】
【０００２】
このような加熱調理器の分野では、加熱源として電波、赤外線、熱風など用いて、簡便に食品などの被加熱物を加熱調理できるオーブン電子レンジといった機器が一般的に普及している（例えば、特許文献１参照）。
【０００３】
特許文献１に記載の加熱調理器においては、図５に示すように、加熱室１の背部にファンケーシング２を設け、ファンケーシング２内に空気循環用の遠心ファン３を配置し、加熱室１の天井部後方および底部後方に、上吐出口４、下吐出口５から吐出される風を受けるように上ヒータ６、下ヒータ７を設けると共に、これらの上ヒータ６、下ヒータ７からの熱を、加熱室１の略中央に設置した天板上の被加熱物８側へ向けて反射させる上反射板９、下反射板１０をそれぞれ上ヒータ６、下ヒータ７の近傍に設け、上ヒータ６、下ヒータ７を熱風発生用とグリル調理用に兼用させるというものであった。
【特許文献１】特開平５−１７２３４４号公報
【発明の開示】
【発明が解決しようとする課題】
【０００４】
しかしながら、図５に示す従来の加熱調理器の構成では、上ヒータ６と下ヒータ７からの熱すなわち赤外線は、それぞれ上反射板９、下反射板１０によって反射散乱され、食品などの被加熱物８に加えられることになるが、上ヒータ６と下ヒータ７からの赤外線は、被加熱物８からの距離によってその熱エネルギーが変化することがステファン・ボルツマンの法則によって周知であり、具体的には該熱エネルギーは上ヒータ６、下ヒータ７と被加熱物８との距離に反比例する。したがって、上反射板９、下反射板１０の効果により被加熱物８に加えられる熱エネルギーは、被加熱物８の背面側と扉側とで当然強弱が発生し、この差が、被加熱物８の前後の焼き色の差、および内部温度の上昇のばらつきとなる傾向があった。
【０００５】
また、遠心ファン３から加熱室１内に吐出される風は、加熱室１内からの循環である程度昇温された熱風である。したがって、上吐出口４と下吐出口５から加熱室１内に吐出された風は、おのずと上昇気流の傾向を持ちながら吐出される。そのため、被加熱物８の下面側を循環する熱風は、被加熱物８の上面を循環する熱風に比べて低温化し、被加熱物８の上下面の焼き色に差が発生する傾向があった。
【０００６】
このように、構成上、必然的に被加熱物８周辺に温度差が発生し、均一な加熱状態を実現することが困難で、被加熱物８を天板の後方に載置すること、または、上下ヒータ６、７の発熱を多くし、かつ大能力ファンなどにより加熱室１内の温度分布を強制的に均一化させるといった、加熱の不均一性を緩和させる処置が不可欠となっていた。
【０００７】
したがって、加熱調理器の外郭全体が高温化したりする課題もあった。
【０００８】
本発明は、上記従来の課題を解決するもので、被加熱物の載置状態に関わらず、また、被加熱物の全体にわたって均一な焼き色を着け、同時に被加熱物の内部温度を均一に上昇させて良好な仕上がり状態を実現し、さらに加熱調理器の外郭などの高温化を防止しうる加熱調理器を提供することを目的とする。
【課題を解決するための手段】
【０００９】
上記従来の課題を解決するために、本発明の加熱調理器は、開閉扉を有し食品を収容する加熱室と、加熱室内にマイクロ波を照射させる給電口と、加熱室に設けた上部熱源および下部熱源と、加熱室の内部に設けられ食品または食品を含む被加熱物を載置して回転させる載置部と、載置部の回転手段とを備え、給電口を開閉扉の近傍側の位置に設ける一方、上部熱源、下部熱源を開閉扉から遠方側の位置に設けたものである。
【００１０】
この加熱調理器においては、マイクロ波を照射させる給電口を開閉扉の近傍側の位置に設け、上部熱源、および下部熱源を開閉扉から遠方側の位置に設けたことにより、マイクロ波、上部熱源、下部熱源による複合同時加熱の場合においても、マイクロ波が上部熱源、および下部熱源と干渉してスパークを発生したり、上部熱源、下部熱源が部分温度上昇したりするのを回避して、種々の被加熱物に最適な加熱調理状態を実現することができる。
【００１１】
また、給電口、上部熱源、下部熱源の配置から、少なくとも開閉扉が高温化するのを回避でき、加熱調理器の外郭温度の異常過熱を防止して、使用者による快適な操作を可能にできる。
【００１２】
以上のように、被加熱物が載置部のどの部位に載置されても、被加熱物の内部温度を均一に上昇させ、上下両面に良好な焼き色を着ける事が可能で、かつ外郭などの高温化を防止しうる加熱調理器を提供することができる。
【発明の効果】
【００１３】
本発明の加熱調理器によれば、給電口、上部熱源、下部熱源の適正な配置から、マイクロ波が上部熱源、および下部熱源と干渉して、スパークや部分異常過熱などの事態を起こすのを防止し、被加熱物が載置部のどの部位に載置されても、被加熱物の内部温度を均一に上昇させ、上下両面に良好な焼き色を着ける事が可能で、かつ外郭温度の異常過熱を防止して、使用者による快適な操作を可能にできる加熱調理器を提供することができる。
【発明を実施するための最良の形態】
【００１４】
第１の発明は、開閉扉を有し食品を収容する加熱室と、加熱室内にマイクロ波を照射させる給電口と、加熱室に設けた上部熱源および下部熱源と、加熱室の内部に設けられ食品または食品を含む被加熱物を載置して回転させる載置部と、載置部の回転手段とを備え、給電口を開閉扉の近傍側の位置に設ける一方、上部熱源、下部熱源を開閉扉から遠方側の位置に設けたものである。
【００１５】
これにより、給電口、上部熱源、下部熱源の配置から、マイクロ波、上部熱源、下部熱源による複合同時加熱の場合においても、マイクロ波が上部熱源、および下部熱源と干渉してスパークを発生したり、上部熱源、下部熱源が部分温度上昇したりするのを回避して、種々の被加熱物に最適な加熱調理状態を実現することができる。
【００１６】
また、上部熱源、下部熱源の配置が開閉扉から遠方側にあるため、少なくとも開閉扉が高温化するのを回避でき、ひいては加熱調理器の外郭温度の異常過熱を防止して、使用者による快適な操作を可能にできる。
【００１７】
以上のように、被加熱物が載置部のどの部位に載置されても、被加熱物の内部温度を均一に上昇させ、上下両面に良好な焼き色を着ける事が可能な加熱調理器を提供することができる。
【００１８】
第２の発明は、特に第１の発明において、上部熱源は載置部に向かって赤外線を放射す
る赤外線ヒータで構成し、下部熱源は載置部の下部の加熱室背面から熱風を供給する熱風供給手段で構成したものである。
【００１９】
これにより、被加熱物の上面は、見た目に焼き色の均一さが重要な仕上がりの要素となるため、上部熱源により焼き色が良好に着きやすい赤外線ヒータによる加熱が行える。
【００２０】
一方、被加熱物からの落下物、例えば焼き汁、油などが落下する載置部の下方では、加熱室の背面から熱風加熱が行えるため、発煙などの事態を抑制して被加熱物の下面に早期に焼き色を着けることができる。
【００２１】
第３の発明は、特に第１または２の発明において、赤外線ヒータは、石英管またはセラミック管内に電熱線を埋設した赤熱型ヒータを用いたものである。
【００２２】
これにより、金属製のシーズヒータなどで構成するよりも素速い赤熱の立上がりを確保でき、被加熱物の表面温度の上昇を速めて、調理時間の短縮を図ることができる。
【００２３】
第４の発明は、特に第１から３のいずれか一つの発明において、載置部の回転手段は、少なくとも被加熱物の調理開始期と調理完了期近傍で、回転速度を変化させたものである。
【００２４】
これにより、被加熱物の種類、量、マイクロ波との複合加熱の有無などによって、それぞれ最適な回転状態を確保することが可能となり、被加熱物の均一な温度上昇の実現、および均一な焼き色を着けることができる。
【００２５】
第５の発明、特に第４の発明において、載置部の回転手段の回転速度は、被加熱物の調理初期よりも調理完了期近傍で大きくしたものである。
【００２６】
これにより、被加熱物全体の温度が低い調理開始期には載置部の回転速度を小さくして、上部熱源、下部熱源と被加熱物との接触時間を長くし被加熱物の温度上昇を速め、ある程度大まかな焼き色を形成することができる。
【００２７】
しかるのち、被加熱物の安定的な載置状態を確保しうる範囲内で回転速度を速めることによって、被加熱物全体の焼き色を均一にすることができる。なお、このような回転速度の調節は、被加熱物の種類、量、マイクロ波との複合加熱などによって、段階的に容易に変化させることが可能である。
【００２８】
したがって、種々の加熱形態に応じた均一加熱状態を実現することができる。
【００２９】
以下、本発明の実施の形態について、図面を参照しながら説明する。なお、この実施形態によって本発明が限定されるものではない。
【００３０】
（実施の形態１）
図１は本発明の実施の形態１における加熱調理器の側面断面図、図２は同実施の形態における加熱調理器による焼成加熱の場合の加熱状態の概念図、図３は同実施の形態における加熱調理器による複合同時加熱の場合の加熱状態の概念図である。
【００３１】
以上の図面を用いて、本発明の実施の形態１における加熱調理器の構成、および動作、作用について説明する。
【００３２】
図１において、外郭１０内には、前方が開口した加熱室１１が構成され、加熱室１１の
前方の開口側には、開閉扉１２が下方を支点として、外郭１０の前面を含む形で前開き方向にて装着されている。
【００３３】
加熱室１１の中央には、スノコ網形状の載置部１３が設けられている。載置部１３は、加熱室１１の底部を貫通する回転軸１４を介して、加熱室１１の底部と外郭１０との間に設置された回転手段１５（モータ１６）と直結された構成である。
【００３４】
加熱室１１の上部、背面側近傍に設けられた凹部１７には、上部熱源１８として、石英管またはセラミック管内にコイル状の電熱線を埋設した赤熱型の赤外線ヒータ１９が、加熱室１１の背面と略平行に設置されている。赤外線ヒータ１９は石英管またはセラミック管の表面温度を６００〜８００℃程度に上昇させるために、Ｗ数を８００〜１２００Ｗの間で設定している。
【００３５】
また、加熱室１１の背面部には熱風路２０が形成され、熱風路２０は、加熱室１１の背面部で載置部１３の下方側に設けた複数の熱風噴出孔２１と、凹部１７の背面側に設けられた複数の循環孔２２とを連通させることによって構成されている。そして、熱風路２０内の熱風噴出孔２１の近傍には、クロスフローファンで構成された循環ファン２３が設置されている。このように、熱風路２０、熱風噴出孔２１と、循環孔２２、クロスフローファンによって、下部熱源２４としての熱風供給手段２５が構成されている。
【００３６】
一方、加熱室１１の上方で開閉扉１２側には、マグネトロン２６に直結された導波管２７が、加熱室１１内に向いた給電口２８として設けられている。
【００３７】
このように構成された加熱調理器における作用について説明する。
【００３８】
図２で、加熱室１１内のスノコ網状の載置部１３上に食品などの被加熱物Ａが載置され、開閉扉１２が閉められると、一定の操作によって被加熱物Ａの加熱調理が開始される。
【００３９】
例えば、被加熱物Ａがトーストなどの場合、通常、マイクロ波加熱を使用することがなく、焼成加熱だけで調理を遂行することになり、上部熱源１８（赤外線ヒータ１９）、および下部熱源２４（熱風供給手段２５）による加熱調理となる。この場合、上部熱源１８（赤外線ヒータ１９）に通電されると、赤外線ヒータ１９の表面が比較的速く６００〜７００℃に到達し、被加熱物Ａの上面、特に載置部１３の中央から背面側にかけて強く赤外線２９で加熱される。同時に、循環ファン２３が動作することによって、循環孔２２を介して加熱室１１内の空気が熱風路２０内に吸引され、熱風噴出孔２１から載置部１３の下方に向けて噴出される。この時、循環孔２２から吸引される空気は、赤外線ヒータ１９の表面に接触して熱交換しながら熱風路２０内に進むので、赤外線ヒータ１９の昇温と加熱室１１内の庫内温度の上昇に伴い、徐々に高温化された熱風３０として熱風噴出孔２１から加熱室１１内の載置部の下方に噴出する。熱風３０の温度は、最終的には、十分に焼き色を形成させることが可能な３００℃前後に到達する。なお、熱風３０は上昇気流となるため、被加熱物Ａの下面、特に載置部１３の中央から背面側を強く熱風加熱する。
【００４０】
したがって、被加熱物Ａの上下面は、中央から背面側にかけて、上部熱源１８（赤外線ヒータ１９）と下部熱源２４（熱風供給手段２５）とによって加熱されるため、開閉扉１２が高温化することがなく、ひいては外郭１０全体の温度上昇も抑制でき、使用者が通常手を触れる部分を安全な温度に保持することができる。
【００４１】
一方、載置部１３は、被加熱物Ａの加熱開始と同時に一定の回転速度で回転させている。
【００４２】
例えば、調理初期から一定の時間は１分間に６〜９回転などの比較的ゆっくりした速度で回転させることによって、上部熱源１８（赤外線ヒータ１９）からの赤外線２９、および下部熱源２４（熱風供給手段２５）からの熱風３０による被加熱物Ａの加熱時間を長く確保し、被加熱物Ａの温度上昇を速め、全体に大まかな焼き色を形成させる。しかるのち、被加熱物Ａの安定的な載置状態を確保しうる範囲内、例えば１分間に１２〜１８回転の比較的速い回転速度に上昇させることによって、被加熱物Ａ全体の焼き色を均一にさせることができる。
【００４３】
一方、図３のように、被加熱物Ｂが冷凍ピザなどのように、解凍温め加熱と焼成加熱を同時に行う複合同時加熱を必要とする場合、加熱室１１の開閉扉１２側では、マイクロ波３１による解凍温め加熱を、加熱室１１の背面側では、上部熱源１８（赤外線ヒータ１９）からの赤外線２９と熱風供給手段２５からの熱風３０による焼成加熱を、といった具合に載置部１３の前後で異なった調理状態を形成する。そして、載置部１３の回転手段１５（モータ１６）によって、被加熱物Ｂの各部が、交互に解凍温め加熱と焼成加熱を受ける。また、載置部１３は、同様に調理開始期と調理完了期で回転速度を変化させて、被加熱物Ｂの仕上がり状態を調整し、最終的に均一な昇温状態、焼き色を形成させることができる。
【００４４】
この時、給電口２８を開閉扉１２の近傍側に設け、上部熱源１８、および下部熱源２４を開閉扉１２から遠方側の加熱室１１の背面側に設けたことにより、このような複合同時加熱の場合においても、マイクロ波３１が上部熱源１８（赤外線ヒータ１９）、および下部熱源２４（熱風供給手段２５）と干渉してスパークを発生したり、上部熱源１８（赤外線ヒータ１９）、下部熱源２４（熱風供給手段２５）が部分温度上昇したりするのを回避して、種々の被加熱物Ｂに最適な加熱調理状態を実現することができる。
【００４５】
このように、焼成加熱、複合同時加熱の場合も、焼成のための実質的な熱源は、上部熱源１８（赤外線ヒータ１９）が作用し、被加熱物Ａ、Ｂの上下面を同時に加熱することができる。
【００４６】
以上のように、種々の被加熱物の調理形態に対応でき、実質的に単一の熱源により被加熱物Ａ、Ｂの上下を同時に調理できるため、省エネ性に富み、かつ均一な加熱調理が可能で、安全な加熱調理器を提供することができる。
【００４７】
（実施の形態２）
図４は、本発明の実施の形態２における加熱調理器の側面断面図および焼成加熱の場合の加熱状態の概念図である。
【００４８】
以上の図面を用いて、本発明の実施の形態１における加熱調理器の構成、および動作、作用について説明する。
【００４９】
図４において、実施の形態１と異なる点は、下部熱源４０（熱風供給手段４１）を、熱風路２０において、循環ファン２３と熱風噴出孔２１との間に、補助ヒータ４２を設けた構成としたところである。補助ヒータ４２の基本構成は、立上がりの速い上部熱源１８（赤外線ヒータ１９）と同一で、Ｗ数を２００〜３００Ｗに小規模にしたものである。
【００５０】
なお、第１の実施の形態と同一符号のものは同一構造を有し、説明は省略する。
【００５１】
図２において、載置部１３にトーストなどの被加熱物Ａが載置されると、実施の形態１と同様の動作、作用によって、被加熱物Ａが加熱調理される。この時、下部熱源４０（熱風供給手段４１）は、循環ファン２３と熱風噴出孔２１との間に、立上がりの速い補助ヒ
ータ４２を設けているので、熱風噴出孔２１から被加熱物Ｂの下方に噴出する熱風４３の温度は、上部熱源１８（赤外線ヒータ１９）の表面温度が６００〜７００℃に到達していなくても、調理開始期からすでに３００℃前後に到達している。
【００５２】
したがって、被加熱物Ｂは、調理開始期から上下両面同時に高温で加熱調理されるため、極めて短時間で調理を完結させることができる。因みに、実施の形態１の場合に比べ、加熱時間は５０〜６０％に短縮することが可能である。また、調理開始期以外は、上部熱源１８（赤外線ヒータ１９）の表面温度、および加熱室１１の庫内温度も十分に上昇しているため、補助ヒータ４２は、実質的に調理開始期のみをカバーすればよく、そのために消費する電気エネルギーの増大は微小である。
【００５３】
以上のように、種々の被加熱物Ａの調理形態に対応でき、短時間で被加熱物Ａの上下を同時加熱できるため、同様に、省エネ性に富み、均一かつ高速な加熱調理が可能で、安全な加熱調理器を提供することができる。
【産業上の利用可能性】
【００５４】
以上のように、本発明の加熱調理器は、マイクロ波とヒータなどの熱源との干渉を抑制して、均一な複合同時加熱が可能であるため、電子レンジなどの調理器に限らず、多様な加熱用途に応用が可能である。
【図面の簡単な説明】
【００５５】
【図１】本発明の実施の形態１における加熱調理器の側面断面図
【図２】同実施の形態における加熱調理器による焼成加熱の場合の加熱状態の概念図
【図３】同実施の形態における加熱調理器による複合同時加熱の場合の加熱状態の概念図
【図４】本発明の実施の形態２における加熱調理器の側面断面図および焼成加熱の場合の加熱状態の概念図
【図５】従来の加熱調理器の側面断面図
【符号の説明】
【００５６】
１１  加熱室
１２  開閉扉
１３  載置部
１５  回転手段
１６  モータ
１８  上部熱源
１９  赤外線ヒータ
２４、４０  下部熱源
２５、４１  熱風供給手段
２８  給電口
２９  赤外線
３０、４３  熱風
３１  マイクロ波
【図１】
2010107083.tif 000003
【図２】
2010107083.tif 000004
【図３】
2010107083.tif 000005
【図４】
2010107083.tif 000006
【図５】
2010107083.tif 000007